(57)【要約】【課題】断面形状が円形である断面円形腕金を両持ち梁状態に支柱に対し交差させて取り付ける場合でも、支柱に対し断面円形腕金が回転することを極力防止する。【解決手段】底面とその底面の両側に立設された一対の側面とを有する断面コ字状部材１１を４つ用意し、支柱２の外周面に当接する支柱側挟持部材として使用する場合は、その長手方向が支柱２の長手方向に対しほぼ直角で、かつ、断面円形腕金３の外径以上に所定間隔だけ離隔して一対設ける一方、断面円形腕金３の外周面に当接する腕金側挟持部材として使用する場合は、その長手方向が支柱２の長手方向に対しほぼ平行で、かつ、支柱２の外径以上に所定間隔だけ離隔して一対設け、回転・ズレ防止部材１２を挟んだ状態の支柱２と断面円形腕金３とをそれらの外側から挟持して、締結ボルト４１およびナット４２により締結する。【選択図】図３
2017077105.tif 000002
【特許請求の範囲】
【請求項１】
断面形状が円形である断面円形腕金を締結ボルトおよびナットにより支柱の外周面に対し押付けて固定する断面円形腕金用固定器具であって、
前記締結ボルトが挿通されるボルト挿通孔が設けられると共に、前記支柱の外周面に当接する支柱側挟持部材と、
前記締結ボルトが挿通されるボルト挿通孔が設けられると共に、前記断面円形腕金の外周面に当接する腕金側挟持部材と、
前記締結ボルトが挿通されるボルト挿通孔が設けられると共に、前記支柱の外周面と前記断面円形腕金の外周面との間に設けられ、前記支柱に対する前記断面円形腕金の回転およびズレを防止するための回転・ズレ防止部材と、
を有することを特徴とする断面円形腕金用固定器具。
【請求項２】
請求項１に記載の断面円形腕金用固定器具において、
前記支柱側挟持部材と前記腕金側挟持部材とは、底面とその底面の両側に立設された一対の側面とを有する断面コ字状で同一形状のコ字状挟持部材であり、
前記支柱側挟持部材として設けられる場合は、その長手方向が前記支柱の長手方向に対しほぼ直角で、かつ、前記断面円形腕金の外径以上に所定間隔だけ離隔して一対設けられる一方、
前記腕金側挟持部材として設けられる場合は、その長手方向が前記支柱の長手方向に対しほぼ平行で、かつ、前記支柱の外径以上に所定間隔だけ離隔して一対設けられ、
前記支柱側挟持部材としての一対の前記コ字状挟持部材と、前記腕金側挟持部材としての一対の前記コ字状挟持部材とにより、前記回転・ズレ防止部材を挟んだ状態の前記支柱と前記断面円形腕金とをそれらの外側から挟持して、前記締結ボルトおよびナットにより締結されることを特徴とする断面円形腕金用固定器具。
【請求項３】
請求項１または請求項２に記載の断面円形腕金用固定器具において、
前記回転・ズレ防止部材は、
前記締結ボルトが挿通されるボルト挿通孔が形成された両側の平板部と、
その両側の平板部の間に設けられ、２つの傾斜面とその傾斜面の間の上底面からなる断面が台形状の断面台形状板部とを有し、
前記支柱と前記断面円形腕金との間に挟まれた場合には、前記断面台形状板部の少なくとも前記２つの傾斜面の内側が前記断面円形腕金の外周面に対し２点以上で当接する一方、前記断面台形状板部の前記上底面の外側が前記支柱の外周面に当接することを特徴とする断面円形腕金用固定器具。
【請求項４】
請求項３に記載の断面円形腕金用固定器具において、
前記回転・ズレ防止部材の前記断面台形状板部には、前記２つの傾斜面と前記上底面に亘る滑止め用孔部が設けられており、
前記上底面における前記滑止め用孔部の周縁に形成された左右２箇所の角部が前記支柱の外周面に当接する一方、
前記２つの傾斜面それぞれにおける前記滑止め用孔部の周縁に形成された左右２箇所の角部が前記断面円形腕金に外周面に当接することを特徴とする断面円形腕金用固定器具。
【発明の詳細な説明】
【技術分野】
【０００１】
本発明は、断面形状が円形である断面円形腕金を締結ボルトおよびナットにより支柱の外周面に対し押付けて固定する断面円形腕金用固定器具に関する。
【背景技術】
【０００２】
従来より、平面アンテナ等の機器を支柱に取り付ける場合、断面形状が四角形の腕金を使用すると共に、その腕金を支柱に対し固定するための腕金用固定装置として、バンド片を使用せずに、互いに直交方向に連続する組付け部片と緊締受部片で装置基枠を構成し、一対の該装置基枠の前記組付け部片と、該組付け部片間に介在させ、断面円弧状の凹入部とした基端面を電柱周側面に係合させた、腕金の基部を、組付けボルトとこれに螺合した組付けナットで接続すると共に、前記装置基枠の、各緊締受部片と、該緊締受部片に前記電柱を介して相対する挟持杆の端部を、緊締ボルトとこれに螺合した緊締ナットで締付ける金具を提案している（例えば、特許文献１参照。）。
【先行技術文献】
【特許文献】
【０００３】
【特許文献１】特開２０１４−１７１３５８号公報
【発明の概要】
【発明が解決しようとする課題】
【０００４】
しかし、上述の特許文献１に記載の腕金用固定装置は、支柱に対し腕金を片持ち梁状態に腕金の基部を突き当てて取り付けるため、腕金を両持ち梁状態に取り付ける場合よりも、アンテナ等の機器の取り付けるスペースが半分となるという問題がある。
【０００５】
また、上述の特許文献１に記載の腕金用固定装置では、断面形状が四角形の腕金の片持ち梁状態に腕金の基部を突き当てて取り付けることを前提としているため、断面形状が円形である断面円形腕金を使用し、しかも、その断面円形腕金を両持ち梁状態に支柱に対し交差させて取り付けることまでは考慮されていない。
【０００６】
そのため、断面形状が円形である断面円形腕金を使用し、しかも、その断面円形腕金を両持ち梁状態に支柱に対し交差させて取り付けた場合、断面形状が円形状の側面同士の当接になるので、１点で当接することになり、断面円形腕金が支柱に対しその平面内や平面外、さらには軸心を中心に回転する可能性が増大し、詳細な指向性が要求されるアンテナの取付けには適さない。
【０００７】
そこで、本発明はこのような問題に着目してなされたもので、断面形状が円形である断面円形腕金を両持ち梁状態に支柱に対し交差させて取り付ける場合でも、支柱に対し断面円形腕金が回転することを極力防止することができる断面円形腕金用固定器具を提供することを目的とする。
【課題を解決するための手段】
【０００８】
前記課題を解決するため、本発明に係る断面円形腕金用固定器具では、断面形状が円形である断面円形腕金を締結ボルトおよびナットにより支柱の外周面に対し押付けて固定する断面円形腕金用固定器具であって、前記締結ボルトが挿通されるボルト挿通孔が設けられると共に、前記支柱の外周面に当接する支柱側挟持部材と、前記締結ボルトが挿通されるボルト挿通孔が設けられると共に、前記断面円形腕金の外周面に当接する腕金側挟持部材と、前記締結ボルトが挿通されるボルト挿通孔が設けられると共に、前記支柱の外周面と前記断面円形腕金の外周面との間に設けられ、前記支柱に対する前記断面円形腕金の回転およびズレを防止するための回転・ズレ防止部材と、を有することを第１の特徴とする。
また、本発明に係る断面円形腕金用固定器具では、前記支柱側挟持部材と前記腕金側挟持部材とは、底面とその底面の両側に立設された一対の側面とを有する断面コ字状で同一形状のコ字状挟持部材であり、前記支柱側挟持部材として設けられる場合は、その長手方向が前記支柱の長手方向に対しほぼ直角で、かつ、前記断面円形腕金の外径以上に所定間隔だけ離隔して一対設けられる一方、前記腕金側挟持部材として設けられる場合は、その長手方向が前記支柱の長手方向に対しほぼ平行で、かつ、前記支柱の外径以上に所定間隔だけ離隔して一対設けられ、前記支柱側挟持部材としての一対の前記コ字状挟持部材と、前記腕金側挟持部材としての一対の前記コ字状挟持部材とにより、前記回転・ズレ防止部材を挟んだ状態の前記支柱と前記断面円形腕金とをそれらの外側から挟持して、前記締結ボルトおよびナットにより締結されることを第２の特徴とする。
また、本発明に係る断面円形腕金用固定器具では、前記回転・ズレ防止部材は、前記締結ボルトが挿通されるボルト挿通孔が形成された両側の平板部と、その両側の平板部の間に設けられ、２つの傾斜面とその傾斜面の間の上底面からなる断面が台形状の断面台形状板部とを有し、前記支柱と前記断面円形腕金との間に挟まれた場合には、前記断面台形状板部の少なくとも前記２つの傾斜面の内側が前記断面円形腕金の外周面に対し２点以上で当接する一方、前記断面台形状板部の前記上底面の外側が前記支柱の外周面に当接することを第３の特徴とする。
また、本発明に係る断面円形腕金用固定器具では、前記回転・ズレ防止部材の前記断面台形状板部には、前記２つの傾斜面と前記上底面に亘る滑止め用孔部が設けられており、前記上底面における前記滑止め用孔部の周縁に形成された左右２箇所の角部が前記支柱の外周面に当接する一方、前記２つの傾斜面それぞれにおける前記滑止め用孔部の周縁に形成された左右２箇所の角部が前記断面円形腕金に外周面に当接することを第４の特徴とする。
【発明の効果】
【０００９】
本発明に係る断面円形腕金用固定器具によれば、支柱の外周面に当接する支柱側挟持部材と、断面円形腕金の外周面に当接する腕金側挟持部材と、支柱の外周面と断面円形腕金の外周面との間に設けられ、支柱の外周面と断面円形腕金の外周面に当接して支柱に対する断面円形腕金の回転を防止するための回転・ズレ防止部材とを有する。
そのため、断面形状が円形である断面円形腕金を両持ち梁状態に支柱に対し交差させて取り付けた場合でも、支柱と断面円形腕金との間に回転・ズレ防止部材が設けられるので、支柱に対し断面円形腕金がズレたり、あるいはその平面内や平面外に回転することを防止できる。また、支柱に取り付けられた断面円形腕金がその中心を軸にして回転することも極力防止できることになる。
【図面の簡単な説明】
【００１０】
【図１】本発明に係る実施形態の断面円形腕金用固定器具を使用して支柱に断面円形腕金を取付け、その断面円形腕金の両側には、アンテナ取付金具を介して平面アンテナを取り付けた状態を示す斜視図である。
【図２】本発明に係る実施形態の断面円形腕金用固定器具を使用して支柱に断面円形腕金を取付け、その断面円形腕金の両側には、アンテナ取付金具を介して平面アンテナを取り付けた状態を示す右側面図である。
【図３】本発明に係る実施形態の断面円形腕金用固定器具を使用して支柱に断面円形腕金を取付け、その断面円形腕金の両側には、アンテナ取付金具を介して平面アンテナを取り付けた状態を示す平面図である。
【図４】本発明に係る実施形態の断面円形腕金用固定器具を使用して支柱に断面円形腕金を取付け、その断面円形腕金の両側には、アンテナ取付金具を介して平面アンテナを取り付けた状態を示す背面図である。
【図５】本発明に係る実施形態の断面円形腕金用固定器具を構成するコ字状挟持部材の斜視図である。
【図６】（ａ）〜（ｃ）それぞれ本発明に係る実施形態の断面円形腕金用固定器具を構成するコ字状挟持部材の平面図、正面図、右側面図である。
【図７】（ａ），（ｂ）それぞれ本実施形態の断面円形腕金用固定器具を構成する回転・ズレ防止部材の表側と裏側の斜視図である。
【図８】（ａ）〜（ｃ）それぞれ本発明に係る実施形態の断面円形腕金用固定器具を構成する回転・ズレ防止部材の平面図、正面図、右側面図である。
【図９】本発明に係る実施形態の断面円形腕金用固定器具を使用して図３より小径の支柱に断面円形腕金を取付け、その断面円形腕金の両側には、アンテナ取付金具を介して平面アンテナを取り付けた状態を示す平面図である。
【図１０】本発明に係る実施形態の断面円形腕金用固定器具を使用して支柱に断面円形腕金を取付ける際、回転・ズレ防止部材にさらにナットにより締結した状態を示す平面図である。
【発明を実施するための形態】
【００１１】
以下、本発明に係る断面円形腕金用固定器具の実施形態について、図面を参照して説明する。尚、以下に説明する実施形態はあくまで本発明の一具体例であり、本発明が下記に説明する実施形態に限定されるものはなく、本発明の技術的思想の範囲内で適宜変更可能である。
【００１２】
＜断面円形腕金用固定器具１の構成＞
本実施形態の断面円形腕金用固定器具１は、図１〜図４等に示すように、締結ボルト４１およびナット４２により支柱２の外周面に対し断面形状が円形である断面円形腕金３を押付けて固定するもので、本発明に係る支柱側挟持部材および腕金側挟持部材として機能するコ字状挟持部材１１と、回転・ズレ防止部材１２とを備える。
【００１３】
つまり、本実施形態の断面円形腕金用固定器具１では、図１〜図４に示すように、支柱側挟持部材として２個のコ字状挟持部材１１を使用し、また腕金側挟持部材としても２個のコ字状挟持部材１１を使用して、合計４個のコ字状挟持部材１１を使用する。尚、図１において、５は平面アンテナ、６は平面アンテナ取付金具である。
【００１４】
本発明の支柱側挟持部材および腕金側挟持部材として使用するコ字状挟持部材１１は、図５及び図６に示すように、底面１１ａと、その底面１１ａの両側に立設された一対の側面１１ｂ，１１ｂとを有する断面コ字状の金具から構成されている。
【００１５】
コ字状挟持部材１１の底面１１ａの両側には、図５及び図６に示すように、締結ボルト４１が挿入されるボルト挿通孔１１ａ１，１１ａ１が形成されている。
【００１６】
底面１１ａの両側のボルト挿通孔１１ａ１，１１ａ１は、それぞれ、図６（ｂ）等に示すように、正方形を斜めに傾斜させた菱形を２つ部分的に重ねて連続させた形状をなしており、締結ボルト４１が２箇所挿入されるように構成されている。締結ボルト４１が２箇所挿入されるような形状に構成した理由は、コ字状挟持部材１１は、外径が異なる、すなわち外径が大の支柱２と、外径が小の断面円形腕金３でもそれらの両側に締結ボルト４１を通すことができるようにしたためである。尚、ボルト挿通孔１１ａ１，１１ａ１は、円形を２つ部分的に重ねて連続させた瓢箪形状等でも良いし、長方形ないしは楕円形の長孔でも良い。
【００１７】
コ字状挟持部材１１の一対の側面１１ｂ，１１ｂには、図５及び図６に示すように、長手方向のほぼ中央に三角形状溝部１１ｂ１，１１ｂ１が形成されている。
【００１８】
コ字状挟持部材１１は、三角形状溝部１１ｂ１，１１ｂ１が支柱２または断面円形腕金３の外周面に当接することにより、支柱２または断面円形腕金３の外周面に対し１点ではなく、２点で当接することになるので、１点で当接する場合よりも、支柱２に対し断面円形腕金３がズレたり、あるいは面内や面外での回転、さらには断面円形腕金３がその軸心を中心に回転することをより確実に防止できる。
【００１９】
回転・ズレ防止部材１２は、図１〜図４に示すように、支柱２の外周面と断面円形腕金３の外周面との間に設けられ、支柱２に対する断面円形腕金３の回転やズレ等を防止するためのもので、図７や図８等に示すように、一枚の鋼板を穿孔および折り曲げ加工して形成されており、締結ボルト４１が挿通されるボルト挿通孔１２ａが形成された両側の平板部１２ａ，１２ａと、平板部１２ａ，１２ａの間に折り曲げて形成した断面が台形状の断面台形状板部１２ｂとを有する。
【００２０】
平板部１２ａ，１２ａに形成されたボルト挿通孔１２ａ１，１２ａ１は、外径が異なる、すなわち大径の支柱２（図１〜図４の場合）と、小径の支柱２’（図９の場合）に応じてその両側に締結ボルト４１を通すことができるようにするため、瓢箪形状に形成されている。なお、回転・ズレ防止部材１２のボルト挿通孔１２ａ１，１２ａ１は、コ字状挟持部材１１の底面１１ａのボルト挿通孔１１ａ１，１１ａ１と同様に菱形を２つ部分的に重ねて連続させた形状でも良いし、長方形ないしは楕円形の長孔でも良い。
【００２１】
断面台形状板部１２ｂは、図７および図８に示すように、２つの傾斜面１２ｂ１，１２ｂ１と、その傾斜面１２ｂ１，１２ｂ１の間で突出した上底面１２ｂ２から構成されており、その大きさは、図２等に示すように断面円形腕金３の外周面が断面円形腕金３の外周面に少なくとも２点以上、すなわち少なくとも傾斜面１２ｂ１，１２ｂ１の内側面で当接（接触）する大きさで形成している。尚、断面円形腕金３の外周面が断面円形腕金３の外周面に３点で当接する場合とは、断面円形腕金３の外周面が傾斜面１２ｂ１，１２ｂ１の内側面と、上底面１２ｂ２の内側面とに当接する場合である。
【００２２】
そのため、図２や図３等に示すように、回転・ズレ防止部材１２の断面台形状板部１２ｂに断面円形腕金３の外周面の一部分が部分的に収まった状態で当接するので、支柱２の外周面と断面円形腕金３の外周面とが１点で当接する場合よりも、断面円形腕金３の横方向および上下方向のズレや面内や面外方向の回転、さらには断面円形腕金３のその軸心を中心とする回転をより確実に防止できる。
【００２３】
また、回転・ズレ防止部材１２には、断面台形状板部１２ｂの２つの傾斜面１２ｂ１，１２ｂ１と上底面１２ｂ２と、断面台形状板部１２ｂ両側の平板部１２ａ，１２ａに亘り、図７および図８上、正面視、縦長形状の滑止め用孔部１３が形成されている。
【００２４】
そのため、図３等に示すように、断面台形状板部１２ｂの上底面１２ｂ２における滑止め用孔部１３の周縁に形成された左右２箇所の角部１３ａ、１３ａが支柱２の外周面に当接するので、支柱２に対し回転・ズレ防止部材１２と、回転・ズレ防止部材１２の断面台形状板部１２ｂに収まった断面円形腕金３の横方向や上下方向のズレや面内や面外方向の回転、さらには断面円形腕金３のその軸心を中心とする回転を防止できる。
【００２５】
次に以上のように構成された本実施形態の断面円形腕金用固定器具１を使用した径の異なる支柱２，２’への断面円形腕金３の取り付けについて説明する。
【００２６】
＜外径の大な支柱２への断面円形腕金３の取り付けについて＞
これは、図４〜図８に示すように構成されたコ字状挟持部材１１と、回転・ズレ防止部材１２とからなる実施形態の断面円形腕金用固定器具１を使用して、図１〜図４等に示すように外径の大な支柱２へ断面円形腕金３を取り付ける。
【００２７】
その際、コ字状挟持部材１１を支柱２の外周面に当接する支柱側挟持部材として使用する場合には、図１〜図４に示すように、コ字状挟持部材１１の長手方向が支柱２の長手方向に対しほぼ直角、すなわち断面円形腕金３の長手方向と平行で、かつ、上下方向に少なくとも断面円形腕金３の外径以上の所定間隔だけ離隔して一対設ける。
【００２８】
その一方、コ字状挟持部材１１を断面円形腕金３の外周面に当接する腕腕金側挟持部材として使用する場合には、図１〜図４に示すように、コ字状挟持部材１１の長手方向が支柱２の長手方向に対しほぼ平行、すなわち断面円形腕金３の長手方向に対し直交し、かつ、左右方向に支柱２の外径以上に所定間隔だけ離隔して一対設ける。
【００２９】
そして、図１〜図４に示すように回転・ズレ防止部材１２を挟んだ状態の支柱２と断面円形腕金３とをそれらの外側から、支柱側挟持部材としての一対のコ字状挟持部材１１と、腕金側挟持部材としての一対の前記コ字状挟持部材１１とにより挟持して、４組の締結ボルト４１およびナット４２により締結する。
【００３０】
＜外径の小な支柱２’への断面円形腕金３の取り付けについて＞
この場合も、図５および図６に示すように構成されたコ字状挟持部材１１と、図７およびお図８に示すように構成された回転・ズレ防止部材１２とからなる実施形態の断面円形腕金用固定器具１を使用して、図９に示すように外径の小な支柱２’を、支柱側挟持部材としての一対のコ字状挟持部材１１と回転・ズレ防止部材１２とにより挟持して４組の締結ボルト４１およびナット４２により締結する。
【００３１】
その際、締結ボルト４１およびナット４２を通す位置は、図９に示すように外径の大な支柱２への断面円形腕金３の取り付けの場合と同様に、コ字状挟持部材１１の底面１１ａのボルト挿通孔１１ａ１，１１ａ１および回転・ズレ防止部材１２の平板部１２ａのボルト挿通孔１２ａ１，１２ａ１の外側のボルト挿通孔でも良いし、支柱２’の外径に合せてそれらの内側のボルト挿通孔に通しても良い。
【００３２】
従って、本実施形態の断面円形腕金用固定器具１によれば、支柱側挟持部材および腕金側挟持部材として機能する４個のコ字状挟持部材１１と、支柱２の外周面と断面円形腕金３の外周面との間に設けられ、支柱２の外周面と断面円形腕金３の外周面に当接して支柱２に対する断面円形腕金３の回転およびズレを防止するための回転・ズレ防止部材１２とを備えたため、図１〜図４に示すように断面円形腕金３を両持ち梁状態に支柱２に対し交差させて取り付ける場合でも、支柱２に対し断面円形腕金３がズレたり、あるいは面内や面外に回転することを防止できる。
【００３３】
また、本実施形態の断面円形腕金用固定器具１では、支柱側挟持部材および腕金側挟持部材として同一形状のコ字状挟持部材１１を使用しているため、異なる形状の支柱側挟持部材と腕金側挟持部材とを用意しておく必要がなくなり、コストも低減することができる。ただし、本発明では、支柱側挟持部材および腕金側挟持部材として異なる形状の挟持部材を使用しても勿論良い。また、支柱側挟持部材および腕金側挟持部材の断面形状もコ字状は一例であり、本発明では、コ字状に限定されるものではない。
【００３４】
また、本実施形態の断面円形腕金用固定器具１では、回転・ズレ防止部材１２は、締結ボルト４１が挿通されるボルト挿通孔１２ａ１，１２ａ１が形成された両側の平板部１２ａ，１２ａと、その両側の平板部１２ａ，１２ａの間に設けられ、２つの傾斜面１２ｂ１，１２ｂ１とその傾斜面１２ｂ１，１２ｂ１の間の上底面１２ｂ２からなる断面台形状板部１２ｂとを有し、支柱２と断面円形腕金３との間に挟まれた場合には、断面台形状板部１２ｂの少なくとも２つの傾斜面１２ｂ１，１２ｂ１の内側が断面円形腕金３の外周面に対し２点以上で当接するため、支柱２に取り付けられた断面円形腕金３が断面円形腕金３の中心を軸にして回転することをさらに確実に防止することができる。
【００３５】
また、本実施形態の断面円形腕金用固定器具１では、回転・ズレ防止部材１２の断面台形状板部１２ｂには、２つの傾斜面１２ｂ１，１２ｂ１と上底面１２ｂ２に亘る滑止め用孔部１３が形成されており、上底面１２ｂ２における滑止め用孔部１３の周縁に形成された左右２箇所の角部１３ａ，１３ａが支柱２の外周面に当接するため、締結ボルト４１およびナット４２により支柱側挟持部材および腕金側挟持部材として同一形状のコ字状挟持部材１１を締結した際、回転・ズレ防止部材１２と支柱２の外周面との間の摩擦力ないしは係合力が向上する。
【００３６】
そのため、回転・ズレ防止部材１２に滑止め用孔部１３を設けない場合よりも、支柱２に対し断面円形腕金３がズレたり、あるいは垂直方向に回転することをさらに確実に防止することができる。
【００３７】
尚、上記実施形態の説明では、図２や図３、図９等に示すように、支柱２と回転・ズレ防止部材１２と断面円形腕金３の外側を支柱側挟持部材および腕金側挟持部材として機能するコ字状挟持部材１１，１１により挟持して、コ字状挟持部材１１，１１の外側から締結ボルト４１およびナット４２により締結して断面円形腕金３を支柱２の外周面に両持ち梁状態に取り付けて説明したが、図１０に示すように、締結ボルト４１にさらにナット４２’を螺合させて回転・ズレ防止部材１２とコ字状挟持部材１１とにより断面円形腕金３をさらに締結するように構成することもできる。
【符号の説明】
【００３８】
１  断面円形腕金用固定器具
１１  取付け部材（支柱側挟持部材，腕金側挟持部材）
１１ａ  底面
１１ａ１，１１ａ１  ボルト挿通孔
１１ｂ，１１ｂ  側面
１１ｂ１，１１ｂ１  三角形状溝部
１２  回転・ズレ防止部材
１２ａ，１２ａ  平板部
１２ａ１，１２ａ１  ボルト挿通孔
１２ｂ  断面台形状板部
１２ｂ１，１２ｂ１  傾斜面
１２ｂ２  上底面
１３  滑止め用孔部
１３ａ，１３ａ  角部
２  支柱
３  断面円形腕金
４１  締結ボルト
４２  ナット
５  平面アンテナ
６  アンテナ取付金具
【図１】
2017077105.tif 000003
【図２】
2017077105.tif 000004
【図３】
2017077105.tif 000005
【図４】
2017077105.tif 000006
【図５】
2017077105.tif 000007
【図６】
2017077105.tif 000008
【図７】
2017077105.tif 000009
【図８】
2017077105.tif 000010
【図９】
2017077105.tif 000011
【図１０】
2017077105.tif 000012